(57)【特許請求の範囲】
【請求項１】
熱交換器と送風機とを備え、この送風機による前記熱交換器の空気吸込側にはフィルターを備えて成る冷却装置において、
前記熱交換器の上面を被覆するケース天板と、前記熱交換器の空気吸込側となる前記ケース天板の縁部から降下し、前記熱交換器と間隔を存して対向するフランジと、前記熱交換器の空気吸込側下側に取り付けられた押さえ具とを備え、
該押さえ具は、前記熱交換器の配管に係脱自在に係合するクリップにて前記熱交換器に固定され、前記フィルターは、その上端が前記フランジと熱交換器との間に挿脱自在に挿入されると共に、その下端は前記押さえ具上に着脱自在に載置されることを特徴とする冷却装置。
【請求項２】
前記押さえ具は、前記熱交換器全幅に渡る固定部と、該固定部の長手方向に複数設けられた保持部を有し、前記熱交換器の両側に設けられた前記配管に係脱自在に係合する複数の前記クリップにて前記熱交換器に固定され、その状態で前記保持部は前記熱交換器の外方に突出し、前記フランジ下方に対向することを特徴とすることを特徴とする請求項１の冷却装置。
【発明の詳細な説明】
【０００１】
【発明の属する技術分野】
本発明は、熱交換器の空気吸込側にフィルターを設けた冷却装置に関するものである。
【０００２】
【従来の技術】
従来のこの種冷却装置は、例えば特公昭６３−１３１１７号公報（Ｆ２５Ｄ１９／００）に示されている。物流センター等で品物を仕分けする低温の仕分け室内には、仕分けの邪魔にならないように前記公報に示される如き天吊り型の冷却装置が設置されている。この冷却装置内には冷却器となる熱交換器が取り付けられており、この熱交換器は蛇行状に屈曲した冷媒配管と、それに直交する向きに固定された多数の放熱フィンとから構成されている。また、熱交換器には送風機による強制通風が行われ、熱交換器と熱交換した冷気を仕分け室内に吹き出すものである。
【０００３】
ところで、仕分け室は仕分けする商品の移動により、特にほこりが多く発生する環境にある。そして、室内に設置された熱交換器に塵埃等が堆積し、目詰まりが発生すると、空気の流通が妨げられて、冷却能力が著しく低下してしまう。冷却能力が低下すると室内の冷却効果が低下し、場合によっては室内が異常高温となってしまう場合がある。そこで、熱交換器の空気吸込側にはフィルターをネジで固定し、それら塵埃が熱交換器に流入することを阻止すると共に、堆積した塵埃はフィルターを外して清掃するようにしていた。
【０００４】
【発明が解決しようとする課題】
これらの理由によって、フィルターは定期的に清掃する必要があるが、その場合、従来ではネジを取り外してからフィルターを取り外さなければならず、フィルターの着脱に多大な手間がかかり、作業性が悪化してしまう問題があった。
【０００５】
本発明は、係る従来技術の課題を解決するために成されたものであり、フィルターを着脱する作業性を向上させ、目詰まりによる熱交換器の性能悪化を未然に防止することができる冷却装置を提供することを目的とする。
【０００６】
【課題を解決するための手段】
即ち、本発明の冷却装置は、熱交換器と送風機とを備え、この送風機による熱交換器の空気吸込側にはフィルターを備えたものであって、熱交換器の上面を被覆するケース天板と、熱交換器の空気吸込側となるケース天板の縁部から降下し、熱交換器と間隔を存して対向するフランジと、熱交換器の空気吸込側下側に取り付けられた押さえ具とを備え、この押さえ具は、熱交換器の配管に係脱自在に係合するクリップにて熱交換器に固定され、フィルターは、その上端がフランジと熱交換器との間に挿脱自在に挿入されると共に、その下端は押さえ具上に着脱自在に載置されるものである。
【０００７】
また、請求項２の発明の冷却装置は、上記において、押さえ具は、熱交換器全幅に渡る固定部と、この固定部の長手方向に複数設けられた保持部を有し、熱交換器の両側に設けられた配管に係脱自在に係合する複数のクリップにて熱交換器に固定され、その状態で保持部は熱交換器の外方に突出し、フランジ下方に対向するものである。
【０００８】
【発明の実施の形態】
次に図面に基づき本発明の実施の形態を詳述する。図１は本発明の冷却装置１の斜視図、図２〜図４は本発明の冷却装置１のフィルター９の取り付け順序を示す図、図５は冷却装置１の縦断側面図をそれぞれ示している。
【０００９】
冷却装置１は、物流センター等の商品仕分け室に設置されて室内を冷却する天吊り型の冷却装置であり、冷却器となる熱交換器６と、この熱交換器６を覆うケース２と、熱交換器６の空気吸込側に設けられ、空気中の塵埃を取り除くためのフィルター９と、熱交換器６の下部に取り付けられフィルター９の押さえ具５及びクリップ１０と、熱交換器６の空気排出側に設けられた送風機７、７などから構成されている。
【００１０】
熱交換器６は所定の間隔で配設された複数枚のアルミニウム製熱交換フィン６Ｂ・・・と、このフィン６Ｂ・・・に直交する蛇行状の冷媒配管６Ａとにより構成されている。この熱交換器６は冷媒配管６Ａによって室外に設置された図示しない圧縮機や凝縮器等と共に周知の冷凍サイクルを構成している。そして、圧縮機から吐出された高温高圧のガス冷媒は、凝縮器にて凝縮液化された後、図示しない減圧装置にて減圧され、その後熱交換器６に流入して蒸発することにより冷却作用を発揮する。
【００１１】
また、フィルター９は空気中の塵埃の通過を阻止する微細な通気孔を具備した不織布、或いは、樹脂シート、或いは、樹脂繊維等と、それらを張架するための樹脂製の周囲枠とから矩形状に構成されている。尚、９Ａはフィルター９を引き出すための紐である。
【００１２】
一方、ケース２は鋼板で構成されると共に、熱交換器６の周囲に所定の間隔を存してそれを内蔵する。ケース２は熱交換器６の上方を被覆する天板２Ａと、この天板２Ａと連続して熱交換器６の両側に位置する側板２Ｂ（片側図示せず）とから構成されており、熱交換器６の空気吸込側の天板２Ａ全幅に渡って断面略コ字形状のフランジ４が、天板２Ａより突出して形成されている。尚、３はドレンパンであり、一端をケース２に回動自在に枢支されてケース２下端を開閉自在に塞ぐよう取り付けられている。また、１１は電装基板などを収納する電装室である。
【００１３】
前記フランジ４はフィルター９の上部を保持するためのもので、フィルター９上部を挿脱自在な寸法に構成されている。即ち、フランジ４は熱交換器６より少許外方に離間したところで略直角に下方に折曲し、少許延在した後、熱交換器６側に略直角に折曲すると共に、端部は熱交換器６と所定距離間隔を存して設けられている。これによって、熱交換器６の空気吸込側となる天板２Ａ縁部に、熱交換器６より外方に突出してフランジ４が形成され、フィルター９がフランジ４（フランジ４端部）と熱交換器６との間に挿脱可能に構成されている。
【００１４】
また、押さえ具５は熱交換器６の空気吸込側下部に設けられ、フィルター９の下部を着脱自在に保持するように構成されている。この押さえ具５は固定部５Ｂと複数の保持部５Ａ・・・とから構成されており、固定部５Ｂは熱交換器６全幅に渡って形成されている。
【００１５】
そして、この固定部５Ｂは着脱自在なクリップ１０にて熱交換器６に取り付けられる。このクリップ１０は弾性を有した所定径のバネ材で、側面略コ字形状を呈しており、熱交換器６のフィン６Ｂ・・・間に挿入可能な寸法を呈している。そして、クリップ１０は両端の湾曲状挟持部１０Ａ、１０Ａを熱交換器６の空気吸込側に位置する配管６Ａと、空気排出側に位置する配管６Ａに係合することによって、熱交換器６に着脱自在とされている。
【００１６】
そして、押さえ具５を前記フランジ４と対向さ、熱交換器６の空気吸入側下側に配置する。この状態で、押さえ具５の下から複数のクリップ１０・・を熱交換器６の両側に設けられた配管６Ａ・・・に固定する。
【００１７】
また、保持部５Ａは固定部５Ｂの長手方向に所定の間隔を存して複数（この場合４カ所）設けられている。これら保持部５Ａ・・・は断面略コ字形状を呈しており、固定部５Ｂに連続して形成されると共に、保持部５Ａ・・・は前記フランジ４同様熱交換器６の空気吸込側に突出して設けられている。即ち、押さえ具５に形成された保持部５Ａと、天板２Ａに形成されたフランジ４とが熱交換器６の外方に突出して設けられると共に、熱交換器６の空気吸込側上下に対向してフィルター９を保持可能に設けられる。
【００１８】
次に、フィルター９の取り付けを説明する。まず、フィルター９の下部をドレンパン３と押さえ具５の保持部５Ａ間矢印方向に挿入（図２）する。この時点ではフィルター９の紐９Ａはドレンパン３側に位置して、フィルター９下部は保持部５Ａに載置されていない状態である。次ぎに、フランジ４と熱交換器６との間にフィルター９の上部を挿入して上に移動（図３矢印）する。
【００１９】
係るフィルター９を上に移動した状態で、フィルター９の下部を押さえ具５の保持部５Ａに載置する（図４矢印）。これによって、フランジ４と押さえ具５との間にフィルター９が装着され、保持される。この場合、フィルター９は下部を保持部５Ａ内に載置された状態で、フィルター９上部はフランジ４より外れない寸法に構成されている。
【００２０】
そして、送風機７が運転されると、熱交換器６にはフィルター９を介して空気が通風されるので、空気中の塵埃はこのフィルター９に付着する。これによって熱交換器６への塵埃の付着は防止される。係る通風によって、熱交換器６の空気吸込側に設けたフィルター９が塵埃で汚れて通風性能が低下した場合、或いは、所定期間経過した後、フィルター９に取り付けられた紐９Ａを引いて、フィルター９の下部を保持部５Ａより引き出した後、フランジ４からフィルター９の上部を引き出して外す。
【００２１】
これによって熱交換器６より取り外したフィルター９を水洗い等により洗浄して綺麗に清掃する。そして、清掃したフィルター９を、前述の如き操作でフランジ４と、押さえ具５間に装置する。このように、本発明では塵埃を付着させるフィルター９をフランジ４と押さえ具５の間に着脱自在に構成しているので、フィルター９を取り外して行うメンテナンス作業を容易行うことが可能となり、フィルター９の目詰まりも容易に清掃することができるようになる。
【００２２】
また、クリップ１０にて押さえ具５を熱交換器６の下部配管６Ａに係脱自在に固定できるように構成しているので、フィルター９の下部を保持する押さえ具５を熱交換器６に後付することが可能となる。これによって、既存の冷却装置にも、押さえ具５を溶接等により固定する必要もなく、押さえ具５を簡単に取り付けることができる。従って、汎用性に富んだものとなる。
【００２３】
【発明の効果】
以上詳述した如く本発明によれば、熱交換器と送風機とを備え、この送風機による熱交換器の空気吸込側にはフィルターを備えて成る冷却装置において、熱交換器の上面を被覆するケース天板と、熱交換器の空気吸込側となるケース天板の縁部から降下し、熱交換器と間隔を存して対向するフランジと、熱交換器の空気吸込側下側に取り付けられた押さえ具とを設け、この押さえ具を、熱交換器の配管に係脱自在に係合するクリップにて熱交換器に固定し、フィルターは、その上端がフランジと熱交換器との間に挿脱自在に挿入し、その下端は押さえ具上に着脱自在に載置するようにしたので、フィルターを極めて容易に着脱することができるようになる。
【００２４】
これにより、フィルターを取り外して清掃するメンテナンス作業が著しく容易となり、目詰まりによる冷却装置の性能悪化を未然に回避することができるようになるものである。また、熱交換器の配管に係脱自在に係合するクリップにて押さえ具は固定されるので、既存の冷却装置に押さえ具を後付する場合にも、簡単に取り付けることができるようになり、作業性と汎用性の向上を図ることが可能となるものである。
【００２５】
請求項２の発明によれば、上記に加えて押さえ具を、熱交換器全幅に渡る固定部と、この固定部の長手方向に複数設けられた保持部から構成し、熱交換器の両側に設けられた配管に係脱自在に係合する複数のクリップにて熱交換器に固定し、その状態で保持部が熱交換器の外方に突出し、フランジ下方に対向するようにしたので、押さえ具並びにフィルムを一層容易且つ安定的に取り付けることが可能となるものである。
【図面の簡単な説明】
【図１】  本発明の冷却装置の斜視図である。
【図２】  本発明の冷却装置にフィルターを取り付ける手順を示す図である。
【図３】  もう一つのフィルターの取り付け手順を示す図である。
【図４】  もう一つのフィルターの取り付け手順を示す図である。
【図５】  本発明の冷却装置の縦断側面図である。
【符号の説明】
１  冷却装置
２  ケース
２Ａ  天板
４  フランジ
５  押さえ具
５Ａ  保持部
５Ｂ  固定部
６  熱交換器
６Ａ  配管
６Ｂ  フィン
７  送風機
９  フィルター
１０  クリップ
１０Ａ  挟持部
【図１】
0003710911.tif 000002
【図２】
0003710911.tif 000003
【図３】
0003710911.tif 000004
【図４】
0003710911.tif 000005
【図５】
0003710911.tif 000006